(57)【要約】【課題】  多量のサムネイル画像の表示が可能な画像表示装置において、各サムネイル画像の選択動作を容易に行えるようにする。【解決手段】  操作部には、検出手段と選択決定キーとが設けられている。画面４Ａは９つの区画Ｐ１〜Ｐ９に分かれており、１つの区画Ｐには９つのサムネイル画像Ｔ１〜Ｔ９等が配列表示されている。前記検出手段に指を触れて操作すると、操作方向に複数の区画Ｐの集合体ΣＰをスクロール移動させることができる。いずれかの区画を選択表示して前記選択決定キーを押すと、選択された区画（サムネイル画像）が拡大表示される。さらに前記検出手段を操作して所望のサムネイル画像を選択表示して前記選択決定キーを押すと、選択されたサムネイル画像を実行（再生等）させることができる。【選択図】  図４
2006011862.tif 000002
【特許請求の範囲】
【請求項１】
操作体が与えた操作方向又は選択位置を検出する検出手段と、マトリックス状に配列された複数のサムネイル画像の集合体のうちから所定数のサムネイル画像を画面として表示することが可能な表示部材と、前記検出手段から出力される検出信号に応じて前記表示部材の表示状態を制御する表示制御部と、が設けられた画像表示装置において、
前記表示制御部が、前記画面内に配列表示された複数のサムネイル画像を所定の区画ごとに分割するとともに、前記検出信号に基づいて前記画面に対して前記サムネイル画像の集合体が前記操作方向に沿って前記区画ごとにスクロール移動させられることを特徴とする画像表示装置。
【請求項２】
前記検出手段の操作により、前駆画面内のいずれか１の区画が選択されたときに、前記選択された１の区画が、選択されない他の区画と異なる状態で表示される請求項１記載の画像表示装置。
【請求項３】
選択決定キーが設けられ、前記選択決定キーが操作されて前記画面上に表示されている複数の区画からいずれか１の区画の選択が決定されたときに、前記選択された１の区画が拡大表示される請求項１または２記載の画像表示装置。
【請求項４】
いずれかの区画が拡大表示されている状態において、前記検出手段の操作によりいずれか１のサムネイル画像が選択されされたときに、前記選択された１のサムネイル画像が、選択されない他のサムネイル画像と異なる状態で表示される請求項３記載の画像表示装置。
【請求項５】
選択された１のサムネイル画像が、選択されない他のサムネイル画像と異なる状態で表示されているときに、前記選択決定キーが操作されると、前記選択された１のサムネイル画像が拡大表示される請求項４記載の画像表示装置。
【請求項６】
前記検出手段には、前記操作体の操作方向が表示されており、この操作方向の数および配列が、前記表示部材に表示されて選択される区画またはサムネイル画像の数および配列に対応している請求項１ないし５のいずれか記載の画像表示装置。
【請求項７】
前記検出手段から出力される検出信号の出力経過時間が、所定の時間を超えたときに、前記スクロール移動が開始させられる請求項１記載の画像表示装置。
【発明の詳細な説明】
【技術分野】
【０００１】
本発明は、ＤＶＤから、あるいはプロバイダなどの情報提供元から供給される静止画、動画などの画像コンテンツを縮小見本（サムネイル画像）など簡易な表示手段を用いて表示することが可能な画像表示装置に係わり、特に多量のサムネイル画像ネイルの中から所望の画像コンテンツを容易に検索して表示することが可能な画像表示装置に関する。
【背景技術】
【０００２】
現在、画像情報を表示する表示装置は多機能化しており、例えばディジタル受信方式のテレビジョンでは、視聴者が選択するチャンネル数が数十から数百にも及んでいる。前記テレビジョン受像機以外でも銀行やその他の各種情報の販売拠点に設置される各種端末装置も使用者が選択すべき情報チャンネルが多くなっている。これは携帯用情報端末機器などにおいても同様である。
【０００３】
前記テレビジョン受像機や各種端末装置を操作する入力装置としては、機器本体とワイヤレスまたはワイヤで接続されたリモコンが使用され、または機器本体と一体のものが使用される。
【０００４】
下の特許文献１には、平面型の座標検出装置と、テンキー式のスイッチとが組み合わされた入力装置が開示されている。この入力装置では、座標検出装置からの位置検出信号と、前記スイッチからの入力信号の双方を利用することにより、多種の情報の入力を行うことが可能である。
【０００５】
また、例えば音声、動画、静止画、文字など多数のデジタル情報（コンテンツ）が、情報配給元（プロバイダ）からインターネットなどの電気通信回線を通じて配信され、あるいはＣＤ−ＲＯＭなどの記録媒体に記録された形で供給されている。そして、これらのコンテンツは、例えばコンピュータ（ＰＣ）や携帯電話機の表示部を介してストリーミングにより、またはコンテンツデータを一度記憶手段にダウンロードした後に閲覧等することが可能とされている。
【０００６】
前記のようなコンテンツ（情報の内容）を閲覧する技術を備えた画像表示装置として、例えば特許文献２に示すような先行技術文献が存在している。図８は特許文献２に図２１として掲載されている図である。特許文献２では、例えばその段落（０１６６）以下等に記載されているように、コンテンツを示すサムネイル画像アイコンが平面（縦横）に並べられて表示されており、ビューエリアの中央に選択状態サムネイル画像アイコンとして表示されている。そして、ユーザが、ジョグダイヤルを上方向又は下方向に回転させると、ビューエリアに表示されるサムネイル画像アイコンがスクロールされ、現在表示されているサムネイル画像アイコンの全体が、それぞれ右側又は左側に移動させられるようになっている。
【０００７】
このような操作により、ユーザは、例えばインターネットを介して提供されるコンテンツや、記録媒体に記録されているコンテンツの全てを自由に閲覧することが可能とされている。
【特許文献１】特開２００２−１２３３６３号公報
【特許文献２】特開２００１−３１２３５０号公報
【発明の開示】
【発明が解決しようとする課題】
【０００８】
しかし、上記特許文献１に示す入力装置は、テンキー式やキーボード方式が主であるため、表示部に表示させるべき多量の情報と操作部とが対応しておらず、例えばリモコンに設けられたいずれかの押釦を何度も押して、所望の情報が表示されるまでその操作を繰り返す必要があり、操作がきわめて煩雑である。
【０００９】
したがって、前記のように多量の情報が表示される表示装置に前記入力装置を使用したとしても、やはりいずれかの操作により画面を順次呼び出すことが必要となり、多量の情報からいずれかの情報を選択する際には煩雑さを避けることができないという問題がある。
【００１０】
一方、上記特許文献２に記載の装置は、例えば、選択状態サムネイル画像アイコンとして、「名前８」が選択されている場合において、ジョグダイヤルを上方に回転させると、ビューエリアの中央に位置する選択状態サムネイル画像アイコンが、「名前８」→「名前７」→「名前６」→「名前５」→「名前４」→「名前３」→「名前２」→「名前１」の順番、すなわち並び順で変化させられるだけである。同様に、ジョグダイヤルを下方に回転させると、ビューエリアの中央に位置する選択状態サムネイル画像アイコンが、「名前８」→「名前９」→「名前１０」→「名前１１」→「名前１２」→「名前１６」→「名前１３」→「名前１４」と並び順で変化させられるだけである。
【００１１】
すなわち、前記ジョグダイヤルを回転させたときに、このとき前記選択状態サムネイル画像アイコンに対応するサムネイル画像アイコンが前記の並びの順番で表示されるだけに過ぎないものである。このため、サムネイル画像アイコンの数が少ない場合にはそれほど問題となることはないが、サムネイル画像アイコンの数が数十、数百と増大すると、前記並び順の一方の端部のサムネイル画像アイコンから他方の端部のサムネイル画像アイコンへと移動するときには、前記ジョグダイヤルを何度も何度も回転させなければならないという煩雑さがある。すなわち、上記特許文献２に記載の装置においても、所望のサムネイル画像アイコン（コンテンツ）を容易に検索して表示させることができないとい問題がある。
【００１２】
本発明は上記従来の課題を解決するためのものであり、多量の情報（コンテンツ）が表示される表示部を有するものにおいて、操作面上での操作方向と画面での表示状態を対応させて、操作者が直感的に情報を容易に選択できるようにし、多量の情報の読み出しを、煩雑さを感じることなく行うことができる画像表示装置を提供することを目的としている。
【課題を解決するための手段】
【００１３】
本発明は、操作体が与えた操作方向又は選択位置を検出する検出手段と、マトリックス状に配列された複数のサムネイル画像の集合体のうちから所定数のサムネイル画像を画面として表示することが可能な表示部材と、前記検出手段から出力される検出信号に応じて前記表示部材の表示状態を制御する表示制御部と、が設けられた画像表示装置において、
前記表示制御部が、前記画面内に配列表示された複数のサムネイル画像を所定の区画ごとに分割するとともに、前記検出信号に基づいて前記画面に対して前記サムネイル画像の集合体が前記操作方向に沿って前記区画ごとにスクロール移動させられることを特徴とするものである。
【００１４】
本発明では、操作者は操作面での検出手段への操作と画面での表示状態を対応させて直感的に所望のサムネイル画像を選択することができる。このため、多量のサムネイル画像の中でも容易に読み出しを行うことができる。
【００１５】
またサムネイル一行または一列ごとではなく、１つの区画ごとにスクロール移動させることができるため、所望のサムネイル画像を迅速に検索することができる。
【００１６】
上記において、前記検出手段の操作により、前記画面内のいずれか１の区画が選択されたときに、前記選択された１の区画が、選択されない他の区画と異なる状態で表示されるものが好ましく、さらには選択決定キーが設けられ、前記選択決定キーが操作されて前記画面上に表示されている複数の区画からいずれか１の区画の選択が決定されたときに、前記選択された１の区画が拡大表示されるものが好ましい。
【００１７】
またいずれかの区画が拡大表示されている状態において、前記検出手段の操作によりいずれか１のサムネイル画像が選択されされたときに、前記選択された１のサムネイル画像が、選択されない他のサムネイル画像と異なる状態で表示されるものが好ましい、さらには選択された１のサムネイル画像が、選択されない他のサムネイル画像と異なる状態で表示されているときに、前記選択決定キーが操作されると、前記選択された１のサムネイル画像が拡大表示されるものが好ましい。
【００１８】
上記手段により、操作者はサムネイル画像の検索を直感的に行うことができるようになる。
【００１９】
前記検出手段には、前記操作体の操作方向が表示されており、この操作方向の数および配列が、前記表示部材に表示されて選択される区画またはサムネイル画像の数および配列に対応しているものが好ましい。
【００２０】
上記手段では、操作面上に示された操作方向の表示と、表示部材に表示されている選択すべきサムネイル画像または区画の数および配列が対応していると、操作面を見ることなく、操作面上で指などを動かしてサムネイル画像または区画を選択表示させた後に、その位置で指に確定操作を行わせることにより、直ちに所望のサムネイル画像を拡大表示等することができる。
【００２１】
例えば、前記検出手段から出力される検出信号の出力経過時間が、所定の時間を超えたときに、前記スクロール移動が開始させられるものである。
【００２２】
出力経過時間を基準とすることにより、操作者は１つの検出手段を用いて通常の操作方向を行わせるか、スクロール動作を行わせるかを自由に選択することができる。
【発明の効果】
【００２３】
本発明の画像表示装置では、操作者が直感的に所望のサムネイル画像を検索することができるため、多量のサムネイル画像の中から所望のサムネイル画像を迅速に検索して表示させることが可能となる。
【発明を実施するための最良の形態】
【００２４】
図１は本発明の画像表示装置の実施の形態として携帯電話機を示す平面図、図２は前記画像表示装置の構成ブロック図、図３は操作部材の主要部を示す平面図、図４は表示部材での表示形態の説明図、図５は検出手段が操作された場合の表示部材の表示形態を示す説明図、図６は選択決定キーが操作された場合の表示部材の表示形態を示す説明図、図７は画像表示装置の動作を示すフローチャートである。
【００２５】
図１に示す画像表示装置は、いわゆる折り畳み式の携帯電話機１であり、中央に設けられたヒンジ部２を介して連結された操作部材３と表示部材４とを有しており、前記操作部材３と表示部材４は互いに接近し合う閉じた姿勢と、互いに離間し合う開く姿勢とに設定できるようになっている。なお、本発明は、前記携帯電話機１のように操作部材３と表示部材４とが一体構成されている画像表示装置に限られるものではなく、例えばリモコンとテレビのように前記操作部材２と表示部材４とが別体化されたものであってもよい。
【００２６】
前記操作部材３は、複数の押釦式の操作キー５ａ，５ａ，・・・が配列されている。また前記操作部材３上で且つ前記ヒンジ部２の近傍には、菊花模様に類似し且つ指などの操作体からの入力を検出する検出手段１１と、選択確定の入力を行う選択決定キー１２とを有している。また図２に示すように、前記検出手段１１と選択決定キー１２の出力は入力制御部２１に入力される。前記入力制御部２１では、前記検出手段１１の入力に応じた操作方向または選択位置を示す検出信号が生成され、また前記選択決定キー１２の入力に応じた選択確定信号やその他の切換信号が生成される。以下においては、前記検出信号と前記選択確定信号とをまとめて操作信号を称することとする。
【００２７】
なお、前記操作部材３がリモコンの場合には、図示しない赤外線送信方式またはＲＦ送信方式の送信部が備えられており、前記検出信号と前記選択確定信号などが、前記送信部からテレビなどの表示部材４に向けて送信されることとなる。
【００２８】
前記操作部材３はケース７を有しており、このケース７の上面が平面的な操作面８となっている。なお、前記操作面８は球面などの曲面形状であってもよい。
【００２９】
図３には前記操作面８の一部が拡大して表示されているが、この操作面８には所定面積の方向入力領域１０が設定されている。
【００３０】
図４に示すように、前記方向入力領域１０内の中央には選択決定キー１２が設けられ,前記選択決定キー１２の近傍から外周方向に向かって８方向に放射状に延びる８つの検出部（個別に１１ａ，１１ｂ，１１ｃ，１１ｄ，１１ｅ，１１ｆ，１１ｇ，１１ｈで示す。）が設けられている。
【００３１】
前記８つの検出部１１ａ〜１１ｈおよび選択決定キー１２は前記操作面８上の前記方向入力領域１０において、他の箇所と異なる色彩にし、あるいは他の領域よりもわずかに窪ませたり、わずかに突出させるなどして、他の部分と識別できるようになっている。
【００３２】
前記検出手段１１は、例えば抵抗式または静電容量式である。前記検出手段１１が抵抗式である場合には、前記８つの検出部１１ａ〜１１ｈが延びる方向と同じ方向に沿ってそれぞれ延びる８つの抵抗体と、前記８つの抵抗体に対し所定の隙間を介して対向配置されるリング状の接触子などから構成される（図示せず）。指などの操作体が前記操作面８に触れると、そのときの押圧力によって前記接触子が８つの抵抗体のいずれかに接触し、前記抵抗体の縁部から接触子との接触点までの距離に応じた検出電圧を検出することにより、操作面８において操作体が触れた方向（操作方向）と接触位置（例えば接触子が抵抗体の内周側に触れたのか、または外周側に触れたのかなど）を検出できるようになっている。
【００３３】
したがって、前記操作体を、たとえば前記選択決定キー１２を中心とする円周状の軌跡に沿って検出部１１ａ〜１１ｈ上を摺動させると、入力制御部２１は前記操作体の移動方向が右回りであるか左回りであるかを検出できる。また円周規制の半径を小さくして内周側を摺動させた場合と、それとは逆に半径を大きくして外周側を摺動させた場合とでは、内周側では遅い速度が検出され、外周側では速い速度が検出され、速度に応じた出力信号が前記入力制御部２１に出力されるようになっている。
【００３４】
また検出手段１１が静電容量式の場合には、誘電体基板に、Ｙ方向へ延びてＸ方向へ一定のピッチで形成されたＸ位置検出電極と、隣り合うＸ位置検出電極との間にそれぞれ位置するアース電極とが設けられ、指などの導電体が操作面８に触れたときの、Ｘ位置検出電極とアース電極との間の静電容量の変化が検出され、これによって少なくとも操作面８において操作体が触れた方向が検出されるようになっている。
【００３５】
なお、図３に示すように、操作面８上の検出手段１１の近傍には、戻し用の押釦１３と進み用の押釦１４とが設けられている。
【００３６】
表示部材４内には、画像信号を生成して前記表示部材４に与える画像表示処理部２５を有している。アンテナ２６から入力された信号は、デコーダを主体とした入力処理部２７により復調され、表示データ処理部２８でデータ処理されて、表示すべき画像情報が画像表示処理部２５に与えられる。またダウンロードの場合には前記メモリ手段２９に記憶される。そして、表示すべき画像データがメモリ手段２９に記憶されている場合には、このメモリ手段２９から読み出された画像情報が表示データ処理部２８でデータ処理されて画像表示処理部２５に与えられる。前記メモリ手段２９は例えばフラッシュメモリ、あるいは小型のハードディスク装置などである。
【００３７】
また、前記表示部材４Ａは、ＳＴＮ，ＴＦＴ、有機ＥＬディスプレイなどで構成されている。
【００３８】
次に、前記携帯電話機１における入力操作と画像表示形態の一例を説明する。
図４に示す初期表示モードでは、前記携帯電話機１の表示部材４の画面４Ａに複数（図４では８１ヶ）のサムネイル画像Ｔ１〜Ｔ８１が上下方向と左右方向に列を成すようにマトリックス状に表示される。前記サムネイル画像Ｔ１〜Ｔ８１としては、各種コンテンツの内容を示す静止画または動画などである。例えば多チャンネルのディジタルテレビジョン画像を表示する場合には、各チャンネルごとのその時点での主な場面の静止画、あるいは予告動画（サマリー動画）などを縮小した画像である。またインターネットなどのネットワークを通じて映像や音声などのマルチメディアデータを受信しながら同時に再生を行なうストリーミングである場合、あるいはメモリ手段にダウンロード後のマルチメディアデータを再生する場合には、これらの内容示す静止画または動画のうち代用的なシーンを縮小した画像である。
【００３９】
各種コンテンツの数は数百以上に達することもある。そして、表示部材４の画面４Ａには、これら多数のコンテンツの個々の内容を示す映像または動画のサムネイル画像が集合体となって一覧表示される。ただし、画面４Ａに表示したサムネイル画像の数が多すぎると、個々のサムネイル画面の大きさが小さくなり過ぎてコンテンツを把握し難くなるため、一つの画面４Ａに表示可能なサムネイル画像の数には限りがある。この実施の形態に示す前記携帯電話機１では、上下左右に９列ずつで合計８１ヶのサムネイル画像Ｔ１〜Ｔ８１が表示できるようになっている。なお、図４では、二重線で囲まれた領域が画面４Ａを示しており、この領域内に８１ヶのサムネイル画像Ｔ１〜Ｔ８１が表示されている。また二重線で囲まれる画面４Ａの領域外に点線で示すサムネイル画像は、前記サムネイル画像Ｔ１〜Ｔ８１に隣接するサムネイル画像を示しており、前記サムネイル画像Ｔ１〜Ｔ８１同様にマトリックス状である。
【００４０】
図４に示すように、８１ヶのサムネイル画像の表示が可能な前記画面４Ａは、例えば図示一点鎖線で示す２本の横方向仮想線ＬＨ１，ＬＨ２と、２本の縦方向仮想線ＬＶ１，ＬＶ２とにより、上下左右に３列ずつで合計９つの区画Ｐ（個別に区画Ｐ１，Ｐ２，Ｐ３，Ｐ４，Ｐ５，Ｐ６，Ｐ７，Ｐ８，Ｐ９として示す。）に分割されている。
【００４１】
前記初期表示モードでは、前記画面４Ａの上段の位置に区画Ｐ１，Ｐ２，Ｐ３が、中段の位置に区画Ｐ４，Ｐ５，Ｐ６が、下段の位置に区画Ｐ７，Ｐ８，Ｐ９がそれぞれ表示されている。１つの区画Ｐには、上下左右に３列ずつで合計９つの前記サムネイル画像が表示されている。すなわち、前記区画Ｐ１にはサムネイル画像Ｔ１〜Ｔ９が表示され、前記区画Ｐ２にはサムネイル画像Ｔ１０〜Ｔ１８が表示され、前記区画Ｐ３にはサムネイル画像Ｔ１９〜Ｔ２７が表示され、前記区画Ｐ４にはサムネイル画像Ｔ２８〜Ｔ３６が表示され、前記区画Ｐ５にはサムネイル画像Ｔ３７〜Ｔ４５が表示され、前記区画Ｐ６にはサムネイル画像Ｔ４６〜Ｔ５４が表示され、前記区画Ｐ７にはサムネイル画像Ｔ５５〜Ｔ６３が表示され、前記区画Ｐ８にはサムネイル画像Ｔ６４〜Ｔ７２が表示され、前記区画Ｐ９にはサムネイル画像Ｔ７３〜Ｔ８１が表示されている。
【００４２】
なお、前記区画Ｐ１の上段の位置にはサムネイル画像Ｔ１，Ｔ２，Ｔ３が、中段の位置にサムネイル画像Ｐ４，Ｔ５，Ｔ６が、下段の位置にはサムネイル画像Ｔ７，Ｔ８，Ｔ９がそれぞれ表示されており、このような構成はその他の区画Ｐ２〜Ｐ９でも同様である。
【００４３】
前記画面４Ａに表示される複数の区画Ｐのうち、画面４Ａの中央に位置する区画Ｐ５を除く区画Ｐ１，Ｐ２，Ｐ３，Ｐ４，Ｐ６，Ｐ７，Ｐ８，Ｐ９は、前記検出手段１１に配列されている検出部１１ａ，１１ｂ，１１ｃ，１１ｄ，１１ｅ，１１ｆ，１１ｇ，１１ｈと同じ数で、且つ前記検出部１１ａ〜１１ｈに対応した配列で表示されている。また画面４Ａの中央に位置する区画Ｐ５は、前記検出手段１１の中央に設けられ前記選択決定キー１２に対応して表示されている。
【００４４】
以上のように、この実施の形態では９つのサムネイル画像Ｔが集合することにより１つの区画Ｐを構成し、９つの区画（８１ヶのサムネイル画像）Ｐが集合することにより１つの画面４Ａが構成されている。なお、前記画面４Ａ内の９つの区画とその他の多数の区画とにより、区画Ｐの集合体ΣＰが形成されている。
【００４５】
上記画像表示装置の動作についてフローチャートを用いながら説明する。なお、フローチャートの各ステップをＳＴで示す。
【００４６】
前記表示部材４の画面４Ａに前記区画Ｐ１〜Ｐ９が１つの集合体として表示されている初期表示モード（ＳＴ１）において、操作者の指が検出手段１１に設けられた検出部１１ａ〜１１ｈのいずれかを押圧し、前記接触子といずれかの抵抗体が接触すると、その抵抗体の方向である操作方向を示す操作信号が入力制御部２１に与えられる。前記操作信号が与えられると、表示制御部２４から表示データ処理部２８と画像表示処理部２５に選択情報が与えられる。
【００４７】
前記力制御部１６は、前記検出部１１ａ〜１１ｈのいずれかが操作されたのを検出すると（ＳＴ２）、この操作信号を表示制御部２４に与える。そして、表示制御部２４は、操作された前記検出部１１ａ〜１１ｈに対応するいずれかの区画Ｐ１〜Ｐ９が他の区画に比較して明るく照光されるような処理を行う（ＳＴ３）。
【００４８】
例えば、図５に示すように、前記検出部１１ｈが操作された場合には、これに対応する区画Ｐ１のみが、他の区画に比較して明るく照光されるようにし、操作者に対し前記区画Ｐ１が選択されたことを視覚的に認識できるようにする。なお、図５では斜線で示す部分が照度の低い部分を示している。前記のような照光は、選択された区画Ｐ１の照度は変えずに、他の区画Ｐ２〜Ｐ９の照度を低下させるようにしてもよいし、他の区画Ｐ２〜Ｐ９の照度は変えずに区画Ｐ１のみの照度を高めるようにしてもよい。あるいは、他の区画Ｐ２〜Ｐ９にソフトウェアの処理によりマスクやぼかしを入れるようにしたものであってもよい。
【００４９】
上記のような区画Ｐ１が選択されている状態において、操作者が選択決定キー１２を押す操作をすると（ＳＴ４）、入力制御部２１は前記区画Ｐ１が選択決定されたと判断し、その選択確定信号を生成して前記表示制御部２４を介して表示データ処理部２８と画像表示処理部２５とに与えられる。このとき前記画像表示処理部２５は拡大表示モードと判断し、図６に示すように前記区画Ｐ１を拡大表示（ＳＴ５）し、前記画面４Ａ上に拡大後のサムネイル画像Ｔ１〜Ｔ９を表示させる。これにより、よりサムネイル画像Ｔ１〜Ｔ９の内容が見易く設定される。
【００５０】
同様に、他の区画Ｐ２〜Ｐ９（区画Ｐ５を除く）のいずれかが選択されている状態で、選択決定キー１２が操作されると、そのときに選択されている区画に対応するサムネイル画像がそれぞれ拡大表示されるようになっている。なお、図６に示すサムネイル画像拡大された拡大表示モードの状態において、例えば前記戻し用の押釦１３が操作された場合には、直前の表示モードである図５に示す初期表示モードに切り換わるようにしてもよい。
【００５１】
また前記ＳＴ２において、検出部１１ａ〜１１ｈは操作されず、その代わりに選択決定キー１２が直接操作された場合（ＳＴ９）には、前記画像表示処理部２５は拡大表示モードと判断し、中央に位置する前記区画Ｐ５を拡大表示（ＳＴ１０）し、次のＳＴ６の実行を待つ。
【００５２】
前記ＳＴ５またはＳＴ１０の拡大表示モードの状態において、前記検出手段１１が操作され、前記表示制御部２４が、前記検出手段１１の検出部１１ａ〜１１ｈのいずれかが操作されたことを検出すると（ＳＴ６）、操作された前記検出部１１ａ〜１１ｈに対応するいずれかのサムネイル画像Ｔが選択されたものと判断し、そのサムネイル画像Ｔを他のサムネイル画像Ｔに比較して明るく照光されるような処理を行ってもよい。
【００５３】
例えば、検出部１１ａが操作された場合には、これに対応するサムネイル画像Ｔ２のみが、他のサムネイル画像Ｔ１やＴ３ないしＴ９に比較して明るく照光されるようにし、操作者に対し前記サムネイル画像Ｔ２が選択されたことを視覚的に認識できるようにする。なお、このような照光は、上記区画Ｐの場合同様の方法で行うことができる。
【００５４】
前記サムネイル画像Ｔ２が選択されている状態において、操作者が選択決定キー１２を押す操作をすると（ＳＴ７）、表示制御部２４は前記サムネイル画像Ｔ２が選択決定されたと判断し、その選択決定信号が前記表示データ処理部２８と画像表示処理部２５とに与えられる。前記画像表示処理部２５は、サムネイル画像実行モードと判断し（ＳＴ８）、例えば前記サムネイル画像Ｔ２を拡大表示し、前記画面４Ａ上に拡大後のサムネイル画像Ｔ２を表示させる。このとき、例えば前記画面４Ａいっぱいに静止画が表示され、または動画が前記画面４Ａいっぱいに映し出された状態で再生される。なお、前記静止画又は動画の大きさは自由に変更できるようにしておいてもよい。
【００５５】
一方、前記入力制御部２１は、検出手段１１から出力される検出信号の出力経過時間ｔの計測を行っている。すなわち、ＳＴ２において接触子が操作体に接触して出力がＯＮの切り換わったときの時刻を初期値とし、次に前記接触状態が解除されて出力がＯＦＦに切り換わるまでに要した出力経過時間ｔとしたときに、前記出力経過時間ｔが所定時間（例えば１秒）以上を経過した場合には、その旨を示す超過時間信号を前記表示制御部２４に与える。前記超過時間信号が与えられた表示制御部２４はスクロールモード（ＳＴ１１）と判断し、表示データ処理部２８と画像表示処理部２５にスクロール情報を与える。
【００５６】
前記スクロールモードでは、前記表示データ処理部２８と画像表示処理部２５が、図４に示すように複数の区画Ｐの集合体（サムネイル画像Ｔの集合体でもある）ΣＰを画面４Ａ上で上下左右および斜め方向へ移動させ、区画Ｐ１〜Ｐ９の一部を消去する。同時に、消去された前記区画Ｐ１〜Ｐ９の一部の代わりに、他の集合体である１６ヶの区画Ｐ１１，Ｐ１２，Ｐ１３，Ｐ１４，Ｐ１５，Ｐ１６，Ｐ１７，Ｐ１８，Ｐ１９，Ｐ２０，Ｐ２１，Ｐ２２，Ｐ２３，Ｐ２４，Ｐ２５，Ｐ２６のいずれかが前記画面４Ａ上に表示されるようにする。
【００５７】
例えば、前記検出手段１１の検出部１１ａが操作された場合には、前記表示データ処理部２８と画像表示処理部２５は、前記複数の区画Ｐの集合体ΣＰを上方向（ａ方向）へ移動させることにより、画面４Ａの上段から区画Ｐ１，Ｐ２，Ｐ３を消去する。同時に、他の集合体である区画Ｐ２３，Ｐ２４，Ｐ２５を画面４Ａの下段に表示させる。すなわち、画面４Ａの上段の位置に区画Ｐ４，Ｐ５，Ｐ６が、中段の位置に区画Ｐ７，Ｐ８，Ｐ９が、下段の位置にＰ２３，Ｐ２４，Ｐ２５が表示される。
【００５８】
また、例えば検出部１１ｃが操作された場合には、表示データ処理部２８と画像表示処理部２５は、前記複数の区画Ｐの集合体ΣＰを右方向（ｃ方向）へ移動させることにより、画面４Ａの右列から区画Ｐ３，Ｐ６，Ｐ９を消去すると同時に、他の集合体である区画Ｐ１６，Ｐ１８，Ｐ２０を画面４Ａの左列に表示させる。その結果、画面４Ａの上段の位置に区画Ｐ１６，Ｐ１，Ｐ２が、中段の位置に区画Ｐ１８，Ｐ４，Ｐ５が、下段の位置にＰ２０，Ｐ７，Ｐ８が表示される。
【００５９】
さらに、例えば検出部１１ｆが操作された場合には、表示データ処理部２８と画像表示処理部２５は、前記複数の区画Ｐの集合体ΣＰを左下斜め方向（ｆ方向）へ移動させる。これにより、画面４Ａから左列と下段に位置する区画Ｐ１，Ｐ４，Ｐ７，Ｐ８，Ｐ９を消去すると同時に、他の集合体である区画Ｐ１３，Ｐ１４，Ｐ１５，Ｐ１７，Ｐ１９を画面４Ａの上段と右列に同時に表示させる。その結果、画面４Ａは、上段の位置に区画Ｐ１３，Ｐ１４，Ｐ１５が、中段の位置に区画Ｐ２，Ｐ３，Ｐ１７が、下段の位置にＰ５，Ｐ６，Ｐ１９が表示される。なお、検出手段１１の他の検出部が操作された場合にも上記同様の動作が行われる。
【００６０】
このように、操作部材３に設けられた検出手段１１の８つのいずれかの検出部１１ａ〜１１ｈを操作することにより、前記複数の区画Ｐの集合体ΣＰが区画単位で上下左右および斜め方向にスクロール移動させられ、前記画面４Ａに表示される９つの区画を自在に変更することが可能とされている。
【００６１】
なお、スクロールモードにおける前記複数の区画Ｐの集合体ΣＰのスクロール移動は、前記接触子が抵抗体に接触している間、すなわち前記出力経過時間ｔの計測が可能な間行われ、また前記接触が解除されると、すなわち出力経過時間ｔの計測が停止すると、スクロール移動が停止させられるようになっている。ただし、スクロール移動の終端が画面４Ａに表示されている場合には、それ以上移動できないので、終端の区画が表示され続ける。
【００６２】
前記複数の区画Ｐの集合体ΣＰのスクロール移動が停止した後において、選択決定キー１２が操作されると、そのときに前記画面４Ａの表示されている９つの区画が新たな初期表示モードとして取り扱われる。したがって、操作者は、上記フローチャートで示した操作と同様の操作を行うことにより、新たな初期表示モードとして画面４Ａに表示された９つの区画Ｐに表示されているいずれかのサムネイル画像Ｔを、上記同様に拡大表示することが可能となる。
【００６３】
以上のように、本願発明では多量のサムネイル画像が表示される表示部材を有するものにおいて、操作面８上での操作と画面４Ａでの表示状態を対応させて、操作者が直感的に情報を容易に選択できるため、多量の情報の読み出しを、煩雑さを感じることなく容易に行うことが可能である。
【００６４】
また、前記メモリ手段２９に記憶されている動画を再生している場合、あるいはＤＶＤなど記録メデアなどを再生しているときに、操作体から前記検出手段１１に対し右回りまたは左回り方向の操作を与えられたのに応じて、動画の再生位置を移動させるようにしてもよい。
【００６５】
例えば、上記のように入力制御部２１は前記操作体の移動方向が右回りであるか左回りであるかを検出するため、これらの操作信号が表示制御部２４に与えたときに、前記表示制御部２４が前記右回り又は左回り方向の操作信号に応じた画像情報を前記表示データ処理部２８および画像表示処理部２５に与えるようにする。このとき、前記画像表示処理部２５は、右回りを示す画像情報を受けとると、メモリ手段に記憶されている動画データに基づき、前記動画の再生位置を現在の再生位置から前記操作信号に含まれる操作量に応じた位置に移動させるようにすることができる。前記操作量としては、例えば出力経過時間ｔなどであり、右回りのときには現在の位置から動画のエンディングの方向へ移動させ、左回りのときには現在の位置から動画のスタート方向へと移動させるようにすることができる。
【００６６】
また操作体が前記検出手段１１の内周側を操作されたときには、上記のように速度が遅いため、再生位置を遅いスピードで移動させるようにし、外周側が操作された場合には、上記のように速度が速いため、再生位置を速いスピードで移動させるようにしてもよい。
【００６７】
これにより、操作者は動画の再生位置を好みに応じた位置に、好みのスピードで自在に移動させることができるようになる。
【００６８】
なお、前記検出手段１１を用いてスピーカの音声出力レベルを調整するようにしてもよい。例えば右回りのときには出力レベルを高めさせ、左回りのときには出力レベルを低下させるようにすることもできる。
【００６９】
上記実施の形態では、画像表示装置として携帯電話機を示して説明したが、本発明はこれに限られるものではなく、その他例えばＰＤＡ、ＤＶＤプレーヤ、コンピュータなどであってもよい。
【図面の簡単な説明】
【００７０】
【図１】本発明の画像表示装置の実施の形態として携帯電話機を示す平面図、
【図２】前記画像表示装置の構成ブロック図、
【図３】操作部材の主要部を示す平面図、
【図４】表示部材での表示形態の説明図、
【図５】検出手段が操作された場合の表示部材の表示形態を示す説明図、
【図６】選択決定キーが操作された場合の表示部材の表示形態を示す説明図、
【図７】画像表示装置の動作を示すフローチャート、
【図８】特許文献２に図２１として掲載されている図面、
【符号の説明】
【００７１】
１  携帯電話機（画像表示装置）
３  操作部材
４  表示部材
８  操作面
１１  検出手段
１１ａ〜１１ｈ  検出部
１２  選択決定キー
２１  入力制御部
２４  表示制御部
２５  画像表示制御部
２７  入力処理部
２８  表示データ処理部
２９  メモリ手段
Ｔ１〜Ｔ８１  サムネイル画像
Ｐ１〜Ｐ２６  区画
ΣＰ  区画の集合体
【図１】
2006011862.tif 000003
【図２】
2006011862.tif 000004
【図３】
2006011862.tif 000005
【図４】
2006011862.tif 000006
【図５】
2006011862.tif 000007
【図６】
2006011862.tif 000008
【図７】
2006011862.tif 000009
【図８】
2006011862.tif 000010